(57)【要約】    【課題】  モニタ部が対面撮影位置にあるときに、反転処理用の新たな回路を設けることなく、文字情報パターンがモニタ画面に正常な向きで表示されるようにする。    【解決手段】  モニタ１２１が対面撮影位置にあるときに、メモリ制御回路１１５が、撮像素子１０８から出力された画像信号を基に、画像の左右を反転した鏡像を生成し、再生回路１２０が、該生成された鏡像に文字情報パターンを重畳して表示画像を生成し、モニタ１２１に表示させる。【選択図】      図１
2005110138.tif 000002
【特許請求の範囲】
【請求項１】
被写体を撮影して画像信号を出力する撮像手段と、画像表示を行う画像表示手段とを備えた撮像装置において、
前記撮像手段から出力された画像信号を基に、画像の左右を反転した鏡像を生成する反転手段と、
前記反転手段によって生成された鏡像に文字情報パターンを重畳して表示画像を生成し、前記画像表示手段に表示させる重畳手段と
を有することを特徴とする撮像装置。
【請求項２】
前記撮像手段を収納する本体収納部に対して、前記画像表示手段を収納する表示収納部が回動可能に構成され、
前記表示収納部が前記本体収納部に対して、前記画像表示手段を前記撮像手段の被写体側から目視できる回動位置にあるときのみ、前記反転手段および前記重畳手段を作動させる制御手段を更に有することを特徴とする請求項１記載の撮像装置。
【請求項３】
前記表示収納部が前記本体収納部に対して、前記画像表示手段を前記撮像手段の被写体側から目視できない回動位置にあるとき、前記撮像手段から出力された画像信号が表す画像に文字情報パターンを重畳して表示画像を生成し、前記画像表示手段に表示させる通常重畳手段を更に有することを特徴とする請求項２記載の撮像装置。
【請求項４】
ユーザによって前記撮像装置に対して指示を与えるべく操作される複数の操作手段と、
前記表示収納部が前記本体収納部に対して、前記画像表示手段を前記撮像手段の被写体側から目視できる回動位置にあるときは、前記複数の操作手段の少なくとも１つがユーザによって操作されても、該操作された操作手段の操作に伴う処理の実行を禁止する禁止手段と
を有することを特徴とする請求項２記載の撮像装置。
【請求項５】
前記表示収納部が前記本体収納部に対して、前記画像表示手段を前記撮像手段の被写体側から目視できる回動位置にあるとき、前記重畳手段は、前記反転手段によって生成された鏡像に前記文字情報パターンおよび状態表示パターンを重畳して表示画像を生成し、前記画像表示手段に表示させることを特徴とする請求項２記載の撮像装置。
【請求項６】
前記本体収納部の背面側に設けられ、前記撮像装置の動作状態を表示する表示手段を更に有し、
前記状態表示パターンは、前記表示手段が表示する表示内容と実質的に同一の表示内容を含むことを特徴とする請求項５記載の撮像装置。
【請求項７】
被写体を撮影して画像信号を出力する撮像手段と、画像表示を行う画像表示手段とを備えた撮像装置に適用される画像表示方法において、
前記撮像手段から出力された画像信号を基に、画像の左右を反転した鏡像を生成する反転ステップと、
前記反転ステップによって生成された鏡像に文字情報パターンを重畳して表示画像を生成し、前記画像表示手段に表示させる重畳ステップと
を有することを特徴とする画像表示方法。
【請求項８】
前記撮像手段を収納する本体収納部に対して、前記画像表示手段を収納する表示収納部が回動可能に構成され、
前記表示収納部が前記本体収納部に対して、前記画像表示手段を前記撮像手段の被写体側から目視できる回動位置にあるときのみ、前記反転ステップおよび前記重畳ステップを実行させる制御ステップを更に有することを特徴とする請求項７記載の画像表示方法。
【請求項９】
前記表示収納部が前記本体収納部に対して、前記画像表示手段を前記撮像手段の被写体側から目視できない回動位置にあるとき、前記撮像手段から出力された画像信号が表す画像に文字情報パターンを重畳して表示画像を生成し、前記画像表示手段に表示させる通常重畳ステップを更に有することを特徴とする請求項８記載の画像表示方法。
【請求項１０】
前記撮像装置は、ユーザによって前記撮像装置に対して指示を与えるべく操作される複数の操作手段を更に備え、
前記表示収納部が前記本体収納部に対して、前記画像表示手段を前記撮像手段の被写体側から目視できる回動位置にあるときは、前記複数の操作手段の少なくとも１つがユーザによって操作されても、該操作された操作手段の操作に伴う処理の実行を禁止する禁止ステップを更に有することを特徴とする請求項８記載の画像表示方法。
【請求項１１】
前記表示収納部が前記本体収納部に対して、前記画像表示手段を前記撮像手段の被写体側から目視できる回動位置にあるとき、前記重畳ステップは、前記反転ステップによって生成された鏡像に前記文字情報パターンおよび状態表示パターンを重畳して表示画像を生成し、前記画像表示手段に表示させることを特徴とする請求項８記載の画像表示方法。
【請求項１２】
前記撮像装置は、前記本体収納部の背面側に設けられ、前記撮像装置の動作状態を表示する表示手段を更に備え、
前記状態表示パターンは、前記表示手段が表示する表示内容と実質的に同一の表示内容を含むことを特徴とする請求項１１記載の画像表示方法。
【請求項１３】
被写体を撮影して画像信号を出力する撮像手段と、画像表示を行う画像表示手段とを備えた撮像装置に適用される画像表示方法を、コンピュータに実行させるためのプログラムにおいて、
前記撮像手段から出力された画像信号を基に、画像の左右を反転した鏡像を生成する反転ステップと、
前記反転ステップによって生成された鏡像に文字情報パターンを重畳して表示画像を生成し、前記画像表示手段に表示させる重畳ステップと
を有することを特徴とするプログラム。
【請求項１４】
前記撮像手段を収納する本体収納部に対して、前記画像表示手段を収納する表示収納部が回動可能に構成され、
前記表示収納部が前記本体収納部に対して、前記画像表示手段を前記撮像手段の被写体側から目視できる回動位置にあるときのみ、前記反転ステップおよび前記重畳ステップを実行させる制御ステップを更に有することを特徴とする請求項１３記載のプログラム。
【請求項１５】
前記表示収納部が前記本体収納部に対して、前記画像表示手段を前記撮像手段の被写体側から目視できない回動位置にあるとき、前記撮像手段から出力された画像信号が表す画像に文字情報パターンを重畳して表示画像を生成し、前記画像表示手段に表示させる通常重畳ステップを更に有することを特徴とする請求項１４記載のプログラム。
【請求項１６】
被写体を撮影して画像信号を出力する撮像手段と、画像表示を行う画像表示手段とを備えた撮像装置に適用される画像表示方法をプログラムとして記憶した、コンピュータにより読み出し可能な記憶媒体において、前記プログラムが、
前記撮像手段から出力された画像信号を基に、画像の左右を反転した鏡像を生成する反転ステップと、
前記反転ステップによって生成された鏡像に文字情報パターンを重畳して表示画像を生成し、前記画像表示手段に表示させる重畳ステップと
を有することを特徴とする記憶媒体。
【請求項１７】
前記撮像手段を収納する本体収納部に対して、前記画像表示手段を収納する表示収納部が回動可能に構成され、前記プログラムが、
前記表示収納部が前記本体収納部に対して、前記画像表示手段を前記撮像手段の被写体側から目視できる回動位置にあるときのみ、前記反転ステップおよび前記重畳ステップを実行させる制御ステップを更に有することを特徴とする請求項１６記載の記憶媒体。
【請求項１８】
前記プログラムが、前記表示収納部が前記本体収納部に対して、前記画像表示手段を前記撮像手段の被写体側から目視できない回動位置にあるとき、前記撮像手段から出力された画像信号が表す画像に文字情報パターンを重畳して表示画像を生成し、前記画像表示手段に表示させる通常重畳ステップを更に有することを特徴とする請求項１７記載の記憶媒体。
【発明の詳細な説明】
【技術分野】
【０００１】
本発明は、撮像装置、画像表示方法、プログラムおよび記憶媒体に関し、特に、モニタ表示部を被写体側から目視できる位置に回動可能に構成された撮像装置、該撮像装置に適用される画像表示方法、該画像表示方法をコンピュータに実行させるためのプログラム、及び該プログラムを記憶した記憶媒体に関する。
【背景技術】
【０００２】
デジタルカメラは一般的に、被写体を撮影するためのカメラレンズを含むカメラ部と、カメラ部で撮影された画像または記録媒体から再生された画像を表示するためのモニタ画面を含むモニタ部とを備える。
【０００３】
こうしたデジタルカメラの中で、モニタ部がカメラ部に連結部を介して連結され、モニタ部がカメラ部に対して回動可能な構造を有したものが存在する。こうしたデジタルカメラでは、カメラレンズの向く方向に対してモニタ画面の向く方向を反対方向にして通常撮影を行う他に、カメラレンズの向く方向に対してモニタ画面の向く方向を同じ方向にすることによって、撮影者自身を被写体の少なくとも一部とするような対面撮影を行うことができる。
【０００４】
この対面撮影を行うことができるデジタルカメラでは、対面撮影時に、カメラ部により撮影された画像を左右反転してモニタ画面に鏡像表示する必要があり、ＬＣＤコントローラが左右反転機能（以下「鏡像表示機能」と呼ぶ）を備えている。
【０００５】
また一般に、デジタルカメラのモニタ画面に表示される画像に、日付、時刻、操作情報、デジタルカメラの動作状態に関する警告情報等の文字情報パターンを重畳表示することができるスーパインポーズ制御回路が、デジタルカメラに備えられている。
【０００６】
対面撮影を行うことができるデジタルカメラにおいて鏡像表示機能が機能したときに、上記の重畳表示された文字情報パターンも鏡像表示されると、左右反転した文字がモニタ画面に出力されてしまうので、従来、その文字情報パターンに対して更に左右反転処理を施し、モニタ画面上で正常に読み取れる文字情報パターンを出力することが提案されている（例えば、特許文献１参照）。
【特許文献１】特開平７−１５４６９２号公報
【発明の開示】
【発明が解決しようとする課題】
【０００７】
しかしながら、上記特許文献１によって提案されるような、対面撮影時における文字情報パターンに対する再度の左右反転処理は、こうした処理を行うための新たな回路を必要とし、回路規模の増加やコスト高を招くという問題があった。
【０００８】
また、デジタルカメラに設けられている操作部材（釦）の一部は、通常撮影時に撮影者が操作することを想定して設けられているので、上記従来のデジタルカメラにおいてモニタ部が対面撮影位置にあるときに、こうした操作部材が操作されると、不都合が生じる可能性があった。例えば、撮影済の画像をモニタ画面で確認しながら操作されるべき画像消去ボタンなどがこうした操作部材に属する。
【０００９】
また、デジタルカメラに設けられている表示部材の多くは、通常撮影時に撮影者が操作することを想定して、デジタルカメラの背面部に配置されているので、上記従来のデジタルカメラにおいてモニタ部が対面撮影位置にあるときに、こうした表示部材を撮影者が目視できないという問題があった。例えば、デジタルカメラの合焦状態を示すＬＥＤ等の表示部がこうした表示部材に属する。
【００１０】
本発明はこのような問題点に鑑みてなされたものであって、モニタ部が対面撮影位置にあるときに、反転処理用の新たな回路を設けることなく、文字情報パターンがモニタ画面に正常な向きで表示されるようにした撮像装置、画像表示方法、プログラムおよび記憶媒体を提供することを目的とする。
【００１１】
また、モニタ部が対面撮影位置にあるときに、操作されると不都合が生じる可能性のある操作部材が操作されても不都合が発生しないようにした撮像装置、画像表示方法、プログラムおよび記憶媒体を提供することを他の目的とする。
【００１２】
また、背面部に配置されていて、モニタ部が対面撮影位置にあるときに目視できない表示部材が表示しようとする内容を撮影者が確認できるようにした撮像装置、画像表示方法、プログラムおよび記憶媒体を提供することを他の目的とする。
【課題を解決するための手段】
【００１３】
上記目的を達成するために、請求項１記載の発明によれば、被写体を撮影して画像信号を出力する撮像手段と、画像表示を行う画像表示手段とを備えた撮像装置において、前記撮像手段から出力された画像信号を基に、画像の左右を反転した鏡像を生成する反転手段と、前記反転手段によって生成された鏡像に文字情報パターンを重畳して表示画像を生成し、前記画像表示手段に表示させる重畳手段とを有することを特徴とする撮像装置が提供される。
【００１４】
また、請求項７記載の発明によれば、被写体を撮影して画像信号を出力する撮像手段と、画像表示を行う画像表示手段とを備えた撮像装置に適用される画像表示方法において、前記撮像手段から出力された画像信号を基に、画像の左右を反転した鏡像を生成する反転ステップと、前記反転ステップによって生成された鏡像に文字情報パターンを重畳して表示画像を生成し、前記画像表示手段に表示させる重畳ステップとを有することを特徴とする画像表示方法が提供される。
【００１５】
さらに、上記画像表示方法をコンピュータに実行させるためのプログラム、及び上記画像表示方法をプログラムとして記憶した、コンピュータにより読み出し可能な記憶媒体が提供される。
【発明の効果】
【００１６】
本発明によれば、対面撮影状態において、撮影画像の鏡像を表示するモニタ画面に、モニタ画面上で正常に読み取れる向きの文字情報パターンを重畳表示でき、しかも、これを回路規模の増加もなく実現できる。
【００１７】
また、対面撮影時に操作されると不都合が生じる可能性のある操作部材が、対面撮影時に操作された場合に、その操作された操作部材に対応する処理の実行が禁止されるので、誤操作に伴う不都合が発生しない。
【００１８】
また、背面部に配置されていて、モニタ部が対面撮影位置にあるときに撮影者が目視できない表示部材によって表示されるべき内容をモニタ部に重畳表示するようにするので、対面撮影時でも撮影者がその内容を確認できる。
【発明を実施するための最良の形態】
【００１９】
以下、本発明の実施の形態を、図面を参照して説明する。
【００２０】
図１は、本発明の一実施形態における撮像装置（デジタルカメラ）の構成を示すブロック図である。
【００２１】
同図において、１００はＣＰＵ（Central Processor Unit：中央処理装置）であり、本撮像装置全体をコントロールするためのものである。１０１はＣＰＵ１００のためのインターフェース回路（Ｉ／Ｆ）、１０２はメモリカード等の記憶媒体、１０３は記憶媒体１０２のためのインターフェース回路（Ｉ／Ｆ）である。１０４はＤＲＡＭ（Dynamic Random Access Memory：随時書き込み読み出しメモリ）であり、画像データやプログラム等を記憶するためのメモリである。１０５はシステムコントローラであり、本撮像装置のシーケンシャルな制御やバスアービトレーション等のコントロールを司るものである。１０６は撮像レンズ、１０７はフォーカス駆動部である。１２３は絞り、１２４は絞り駆動部である。
【００２２】
１０８は撮像素子であり、１チップ構成のＣＣＤ（電荷結合素子）からなる。１０９はＡ／Ｄ変換器であり、アナログ信号をデジタル信号に変換するものである。１１０は信号処理回路、１１１は変倍回路である。変倍回路１１１は、間引き処理、線形補間処理等によって、画素データに対して水平、垂直方向の縮小処理を施すものである。１１２はラスタブロック変換回路であり、変倍回路１１１によって変倍されたラスタスキャン画像データをブロックスキャン画像データに変換するものである。１１３はラスタブロック変換用のバッファメモリであり、ラスタブロック変換回路１１２がラスタデータをブロックスキャンデータに変換する際に使用する。１１４は圧縮回路であり、ＪＰＥＧデータをブロック単位で圧縮するものである。
【００２３】
１１５はメモリ制御回路であり、メモリ制御回路１１５は、変倍回路１１１、圧縮回路１１４、再生回路１２０、ＤＲＡＭ１０４を制御する。
【００２４】
またメモリ制御回路１１５は、変倍回路１１１から出力されるラスタデータのＤＲＡＭ１０４への転送制御や、圧縮回路１１４の出力信号のＤＲＡＭ１０４への転送制御も行う。
【００２５】
１１６はオン・スクリーン・ディスプレイ（On Screen Display；以下「ＯＳＤ」と略す）回路であり、ＣＰＵ１００から送られてきた文字データに応じた文字信号を出力する。
【００２６】
１２０は再生回路であり、画像データにＯＳＤデータを重畳し、重畳された画像データに対して変調、同期信号の付加、ＤＡ変換等を行なって、ビデオ信号を生成するものである。
【００２７】
１２１はモニタであり、ビデオ信号に基づき画像表示を行う。
【００２８】
１２２は各種スイッチであり、後述するスイッチＳＦ１、スイッチＳＦ２、スイッチＳＦ３、スイッチＳＦ４等を含み、ＣＰＵ１００に接続されている。
【００２９】
１２５は、通知や警告を行うべくＬＥＤ（発光ダイオード）を点灯するためのＬＥＤ表示回路であり、ＬＥＤ１２６，ＬＥＤ１２７を含む。ＬＥＤ１２６，ＬＥＤ１２７については図２を参照して説明する。
【００３０】
次に、各種スイッチ１２２について説明する。
【００３１】
回転角検出スイッチＳＦ１は、モニタ１２１が対面撮影状態（モニタ１２１が撮影レンズ１０６と同一方向を向く状態）にあるときにオン信号を出力するスイッチであり、このオン信号がＣＰＵ１００に入力されることによって、モニタ１２１上に表示されていた通常撮影状態（モニタ１２１が撮影レンズ１０６と同一方向を向く状態）時の画像が左右反転されて、モニタ１２１上に表示される。
【００３２】
スイッチＳＦ２は、自動フォーカスを開始するスイッチであり、このスイッチＳＦ２が撮影者によってオンされると、自動フォーカス動作が開始される。
【００３３】
スイッチＳＦ３は、本撮像装置の設定を切換えるメニュースイッチであり、このメニュースイッチＳＦ３が撮影者によってオンされると、本撮像装置の設定を切換えることのできるモードとなる。
【００３４】
スイッチＳＦ４は、画像データを消去するための消去スイッチであり、この消去スイッチＳＦ４が撮影者によってオンされると、撮影された画像データが消去される。
【００３５】
図２は、通常撮影状態において被写体Ａの映像がモニタ１２１に表示される様子を示す、撮像装置を背面から見た図である。
【００３６】
図中２００は、被写体を撮影するカメラ部であり、撮影された被写体を表示するモニタ１２１が連結部２０４を介してカメラ部２００に連結され、モニタ１２１は、カメラ部２００に対して回動可能な構成となっている。
【００３７】
連結部２０４には、図示を省略するが、カメラ部２００に対するモニタ１２１の相対回転角を検出する回転角検出スイッチＳＦ１が備えられており、回転角検出スイッチＳＦ１は、モニタ１２１の回転位置が通常撮影状態の位置にある時はオフ信号を、対面撮影状態の位置にある時はオン信号をＣＰＵ１００に出力する。
【００３８】
モニタ１２１上には、静止画像を撮影する時のシャッタ速度（１／２５０）２０１、絞り値（Ｆ５．６）２０２、記録残量枚数（５０）２０３が撮影画像に重畳表示される。
【００３９】
通常撮影状態時におけるモニタ１２１のスキャン方向は、図２の左から右へ、上から下への通常のＴＶ画面と同様の方向である。
【００４０】
ＬＥＤ１２６は、焦点状態を示すＬＥＤであり、焦点が合った場合に点灯し、焦点が合わない場合に点滅することによって焦点状態を表す。
【００４１】
ＬＥＤ１２７は、手振れ状態（撮像装置を支える手の揺れによって撮影画像が不鮮明になる状態）を示すＬＥＤであり、シャッタ速度が規定の速度より遅く手振れが発生しやすい場合に点滅することによって手振れ状態を示す。
【００４２】
図３は、モニタ１２１が連結部２０４を中心にして回転する状態を示す、撮像装置を背面から見た図である。
【００４３】
図４は、モニタ１２１を撮像レンズ１０６と同じ向きにした対面撮影状態を示す、撮像装置を正面から見た図である。
【００４４】
通常撮影状態にあるカメラ部２００を正立させたまま、モニタ１２１を、連結部２０４を中心として左右に１８０°回転させると対面撮影状態となり、被写体Ｂの映像がモニタ１２１に、画面のスキャン方向を図２の場合とは左右逆にして左右反転した鏡像として表示される。
【００４５】
なお対面撮影状態では、図２のＬＥＤ１２６による焦点状態表示に相当する表示を、モニタ１２１上のＯＳＤ点灯表示４０１にて行う。また、図２のＬＥＤ１２７による手振れ状態表示に相当する表示を、モニタ１２１上のＯＳＤ点灯表示４０２にて行う。これにより、ＬＥＤ１２６およびＬＥＤ１２７を目視できない対面撮影状態時でも、焦点が合ったか否かを確認できるとともに、撮像装置が手振れ状態にあるか否かを確認できる。
【００４６】
図５は、ＤＲＡＭ１０４のメモリ構成を示す図である。このＤＲＡＭ１０４のメモリ構成を参照してメモリ制御回路１１５によるデータ転送を説明する。
【００４７】
メモリ制御回路１１５は、ＤＲＡＭ１０４を二次元の平面とみなして、ＤＲＡＭ１０４上の矩形領域にデータ転送（画像データの書き込み）を行なう。
【００４８】
図５（Ａ）は、通常撮影状態における画像データ転送を示し、Ｐ１，Ｐ２，Ｐ３，Ｐ４，Ｐ５，Ｐ６はアドレスを、Ｎはデータが転送される矩形領域のライン数を、Ｍは１ラインのピクセル数（ワード数）をそれぞれ表わしている。また、点線で表わしている距離（オフセット）Ｊの値は全て同じであり、Ｐ３−Ｐ２と等しい。矩形領域でのデータ転送は、上端ラインから下端ラインまでＮ回に亘って、左端のアドレスＰ１，Ｐ３，・・・Ｐ４からそれぞれ始まってアドレス値が順次大きくなる方向にＭワード分の画像データの書き込みを行うことによって実現される。
【００４９】
図５（Ｂ）は、対面撮影状態における画像データ転送を示し、図５（Ａ）と同様にＰ１，Ｐ２，Ｐ３，Ｐ４，Ｐ５，Ｐ６はアドレスを、Ｎはデータが転送される矩形領域のライン数を、Ｍは１ラインのピクセル数（ワード数）をそれぞれ表わしている。また、点線で表わしている距離（オフセット）Ｊの値は全て同じであり、Ｐ３−Ｐ２と等しい。なお、図５（Ｂ）におけるＰ１〜Ｐ６は、図５（Ａ）におけるＰ１〜Ｐ６とそれぞれ全く異なる値であり、また、図５（Ｂ）におけるＮ，Ｍ，Ｊは、図５（Ａ）におけるＮ，Ｍ，Ｊとそれぞれ必ずしも同一の値ではないが、ここでは便宜上同一の符号を用いて示している。
【００５０】
矩形領域でのデータ転送は、上端ラインから下端ラインまでＮ回に亘って、右端のアドレスＰ１，Ｐ３，・・・Ｐ４からそれぞれ始まってアドレス値が順次小さくなる方向にＭワード分の画像データの書き込みを行うことによって実現される。すなわち、図５（Ｂ）に示す対面撮影状態における画像データ転送では、図５（Ａ）に示す通常撮影状態における画像データ転送と比べて、ラインの走査方向が反対になっている。
【００５１】
図６は、図５（Ａ）に示すＤＲＡＭ１０４上の矩形領域におけるメモリ制御回路１１５による通常撮影状態の画像データ転送の手順を示すフローチャートである。なお、図６におけるＰ１，Ｍ，Ｎ，Ｊは、図５（Ａ）におけるアドレスＰ１、ピクセル数Ｍ、ライン数Ｎ、距離Ｊと対応しており、これらの値はメモリ制御回路１１５の設定レジスタに予めセットされている。
【００５２】
図６において、まず、ステップＳ６０１で、カウンタ値ｈ，ｃをリセットする（ｈ＝０，  ｃ＝０）。次に、ステップＳ６０２で、下記式に基づきアドレスａを算出する。
【００５３】
ａ＝Ｐ１＋ｈ＋（Ｍ＋Ｊ）ｃ
次に、ステップＳ６０３で、ステップＳ６０２において算出されたアドレスａで示されるＤＲＡＭ１０４上の領域に対して画像データを書き込む（ライト）。
【００５４】
次に、ステップＳ６０４で、カウンタ値ｈを１つインクリメント（ｈ＝ｈ＋１）し、次のステップＳ６０５で、カウンタ値ｈが１ラインのピクセル数（ワード数）Ｍと等しい（ｈ＝Ｍ）か否かを判断する。そして、カウンタ値ｈがピクセル数Ｍと等しいと判断された場合、即ち、１ライン分の書き込み処理が終了した場合は、次のステップＳ６０６へ進んで、カウンタ値ｈをリセット（ｈ＝０）し、カウンタ値ｃを１つインクリメント（ｃ＝ｃ＋１）する。そして、次のステップＳ６０７で、カウンタ値ｃが矩形領域のライン数Ｎと等しい（ｃ＝Ｎ）か否かを判断する。そして、カウンタ値ｃがライン数Ｎと等しいと判断された場合、即ち、全ライン分が転送されていた場合は、本処理動作を終了する。
【００５５】
一方、ステップＳ６０５において、カウンタ値ｈがピクセル数Ｍと等しくないと判断された場合、またはステップＳ６０７において、カウンタ値ｃがライン数Ｎと等しくないと判断された場合は、いずれもステップＳ６０２へ戻る。
【００５６】
以上のような処理によって、通常撮影状態における画像データ転送（ＤＲＡＭ１０４への画像データの書き込み）が実現できる。
【００５７】
図７は、図５（Ｂ）に示すＤＲＡＭ１０４上の矩形領域におけるメモリ制御回路１１５による対面撮影状態の画像データ転送の手順を示すフローチャートである。なお、図７におけるＰ１，Ｍ，Ｎ，Ｊは、図５（Ｂ）におけるアドレスＰ１、ピクセル数Ｍ、ライン数Ｎ、距離Ｊと対応しており、これらの値はメモリ制御回路１１５の設定レジスタに予めセットされている。
【００５８】
図７において、まず、ステップＳ６１１で、カウンタ値ｈ，ｃをリセットする（ｈ＝０，  ｃ＝０）。次に、ステップＳ６１２で、下記式に基づきアドレスａを算出する。
【００５９】
ａ＝Ｐ１−ｈ＋（Ｍ＋Ｊ）ｃ
次に、ステップＳ６１３で、ステップＳ６１２において算出されたアドレスａで示されるＤＲＡＭ１０４上の領域に対して画像データを書き込む（ライト）。
【００６０】
次に、ステップＳ６１４で、カウンタ値ｈを１つインクリメント（ｈ＝ｈ＋１）し、次のステップＳ６１５で、カウンタ値ｈが１ラインのピクセル数（ワード数）Ｍと等しい（ｈ＝Ｍ）か否かを判断する。そして、カウンタ値ｈがピクセル数Ｍと等しいと判断された場合、即ち、１ライン分の書き込み処理が終了した場合は、次のステップＳ６１６へ進んで、カウンタ値ｈをリセット（ｈ＝０）し、カウンタ値ｃを１つインクリメント（ｃ＝ｃ＋１）する。そして、次のステップＳ６１７で、カウンタ値ｃが矩形領域のライン数Ｎと等しい（ｃ＝Ｎ）か否かを判断する。そして、カウンタ値ｃがライン数Ｎと等しいと判断された場合、即ち、全ライン分が転送されていた場合は、本処理動作を終了する。
【００６１】
一方、ステップＳ６１５において、カウンタ値ｈがピクセル数Ｍと等しくないと判断された場合、またはステップＳ６１７において、カウンタ値ｃがライン数Ｎと等しくないと判断された場合は、いずれもステップＳ６１２へ戻る。
【００６２】
以上のような処理によって、対面撮影状態における画像データ転送（ＤＲＡＭ１０４への画像データの書き込み）が実現できる。
【００６３】
次に、本実施形態に係る撮像装置における撮影並びに撮影画像および文字パターンの表示について、図１を参照して説明する。
【００６４】
撮像レンズ１０６は、フォーカス駆動部１０７によって光軸に沿って移動されて焦点調節を行い、また、その光軸上に配設される絞り１２３は、絞り駆動部１２４によって開口面積を調節される。そして、撮像レンズ１０６の光軸上には、撮像素子１０８が配設され、撮像レンズ１０６で撮影された被写体（図示省略）の撮影像が、撮像素子１０８の撮像面に結像するようになっている。撮像素子１０６は、モニタ１２１の画素数よりも多い画素数をもつものが使用されている。
【００６５】
撮像素子１０６の撮像面に結像した被写体像は、この撮像素子１０６により光電変換されてＣＣＤ信号として順次読み出され、次段のＡ／Ｄ変換器１０９でアナログ信号からデジタル信号に変換される。デジタル化された画像信号は信号処理回路１１０へ入力される。この信号処理回路１１０は、ホワイトバランス調整回路、ガンマ補正回路、ＹＣ処理回路、露出／フォーカス（ＡＥ／ＡＦ）回路を含み、入力された画像信号は、これらの回路によって画像処理されて、得られた画像データが変倍回路１１１に出力される。また信号処理回路１１０では、内部に設けられた輝度信号成分の抽出回路によって、入力された画像信号から輝度信号成分が抽出され、また内部に設けられたＡＥデータ作成手段によって、抽出された輝度信号成分から露出情報であるＡＥデータが作成され、この作成されたＡＥデータがＣＰＵ１００に供給される。さらに信号処理回路１１０では、上記抽出された輝度信号成分が、ハイパスフィルタと積分器とで構成される内部のＡＦデータ作成手段に供給され、ハイパスフィルタを用いて高域成分のみが抽出され、その抽出された高域成分が積分器を用いて積分されて、フォーカス情報であるＡＦデータが作成され、この作成されたＡＦデータがＣＰＵ１００に供給される。
【００６６】
変倍回路１１１は、モニタ１２１の表示サイズに合わせて撮像画像の画素データの間引き処理、線形補間処理等を行うものであり、信号処理回路１１０から送られた画像データに基づき水平、垂直方向の縮小を行い、全体縮小画像データをメモリ制御回路１１５に出力する。
【００６７】
ＣＰＵ１００は、モニタ１２１が図２に示す通常撮影状態の位置にあれば、図６に示す手順の処理をメモリ制御回路１１５に対して行わせる。メモリ制御回路１１５は、変倍回路１１１から入力する表示サイズに合った画像データを、ＤＲＡＭ１０４上のアドレスａに順に書き込むことによって、図５（Ａ）に示すように、全体縮小画像データがＤＲＡＭ１０４に書き込まれる。
【００６８】
また、ＣＰＵ１００は、モニタ１２１が図４に示す対面撮影状態の位置にあれば、図７に示す手順の処理をメモリ制御回路１１５に対して行わせる。メモリ制御回路１１５は、変倍回路１１１から入力する表示サイズに合った画像データを、ＤＲＡＭ１０４上のアドレスａに順に書き込むことによって、図５（Ｂ）に示すように、左右反転した鏡像の全体縮小画像データがＤＲＡＭ１０４に書き込まれる。
【００６９】
ＤＲＡＭ１０４からの全体縮小画像データの読み出しは、通常撮影状態と対面撮影状態とで区別はなく、メモリ制御回路１１５が、ＤＲＡＭ１０４上の全体縮小画像データを、ＤＲＡＭ１０４上の二次元平面の左端から右端へ、上端から下端へ（図５（Ａ）のライト動作と同一走査）順次読み出し、読み出した画像データを再生回路１２０に出力する。
【００７０】
再生回路１２０は、メモリ制御回路１１５から送られた撮影画像データに、ＯＳＤ回路１１６から送られる文字パターン信号を重畳し、重畳された画像データに対して、クロマエンコード処理や帯域補正やコンポジット化等の信号処理を施し、さらにＴＶ（テレビジョン）用アナログ信号に変換して、モニタ１２１にビデオ信号として出力する。
【００７１】
以上のように本実施形態に係る撮像装置によれば、対面撮影の場合に、撮影画像は左右反転した鏡像表示となっているが、文字パターンは左右反転していない画像を提供することができる。
【００７２】
図８は、各種スイッチ１２２の動作状態に応じたＣＰＵ１００の画像消去およびメニュー表示処理の手順を示すフローチャートである。
【００７３】
図８において、まずステップＳ７０１で、回転角検出スイッチＳＦ１からオン信号がＣＰＵ１００に入力されているか否かを判断する。回転角検出スイッチＳＦ１からオン信号が入力されていれば、対面撮影状態であると判断し、オフ信号が入力されていれば、通常撮影状態と判断する。そして、対面撮影状態と判断された場合、本処理を即座に終了する。
【００７４】
一方、ステップＳ７０１において通常撮影状態と判断された場合、ステップＳ７０２へ進んで、消去スイッチＳＦ４がＯＮか否かを判断する。消去スイッチＳＦ４がＯＮならばステップＳ７０３へ進んで、直前に記録された画像データの消去処理を行い、本処理を終了する。
【００７５】
一方、ステップＳ７０２において消去スイッチＳＦ４がＯＦＦならば、ステップＳ７０４へ進んで、メニュースイッチＳＦ３がＯＮか否かを判断する。メニュースイッチＳＦ３がＯＮならば、ステップＳ７０５へ進んで、モニタ１２１にメニュー表示を行い、これに基づいて撮影者が本撮像装置の設定変更を指示し、設定変更処理後、本処理を終了する。
【００７６】
一方、ステップＳ７０４においてメニュースイッチＳＦ３がＯＦＦならば、本処理を終了する。
【００７７】
以上のように、対面撮影状態と判断された場合には、消去スイッチＳＦ４やメニュースイッチＳＦ３の操作の如何に拘らず、それらに対応する処理（ステップＳ７０３における画像データの消去処理や、ステップＳ７０５におけるメニュー表示、設定変更の処理）が実行されないようにする。すなわち、対面撮影状態においては、こうした処理が実行されることは好ましくないので、たとえ消去スイッチＳＦ４やメニュースイッチＳＦ３が操作されても、対応する処理の実行を禁止するようにして、対面撮影状態における最適な操作環境を提供している。
【００７８】
［他の実施形態］
なお、本発明の目的は、前述した実施形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００７９】
この場合、記憶媒体から読み出されたプログラムコード自体が本発明の新規な機能を実現することになり、そのプログラムコードを記憶した記憶媒体およびプログラムは本発明を構成することになる。
【００８０】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００８１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００８２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００８３】
【図１】本発明の一実施形態における撮像装置の構成を示すブロック図である。
【図２】通常撮影状態において被写体の映像がモニタに表示される様子を示す、撮像装置を背面から見た図である。
【図３】モニタが連結部を中心にして回転する状態を示す、撮像装置を背面から見た図である。
【図４】モニタを撮像レンズと同じ向きにした対面撮影状態を示す、撮像装置を正面から見た図である。
【図５】ＤＲＡＭのメモリ構成を示す図である。
【図６】図５（Ａ）に示すＤＲＡＭ上の矩形領域におけるメモリ制御回路による通常撮影状態の画像データ転送の手順を示すフローチャートである。
【図７】図５（Ｂ）に示すＤＲＡＭ上の矩形領域におけるメモリ制御回路による対面撮影状態の画像データ転送の手順を示すフローチャートである。
【図８】各種スイッチの動作状態に応じたＣＰＵの画像消去およびメニュー表示処理の手順を示すフローチャートである。
【符号の説明】
【００８４】
１００    ＣＰＵ（制御手段）
１０１    インターフェース（Ｉ／Ｆ）
１０２    記録媒体
１０３    インターフェース（Ｉ／Ｆ）
１０４    ＤＲＡＭ
１０５    システムコントローラ
１０６    撮像レンズ
１０７    フォーカス駆動部
１０８    撮像素子（ＣＣＤ、撮像手段）
１０９    Ａ／Ｄ変換器
１１０    信号処理回路
１１１    変倍回路
１１２    ラスタブロック変換回路
１１３    バッファメモリ
１１４    圧縮回路
１１５    メモリ制御回路（反転手段）
１１６    ＯＳＤ回路
１２０    再生回路（重畳手段）
１２１    モニタ（画像表示手段）
１２２    各種スイッチ
１２３    絞り
１２４    絞り駆動部
１２５    ＬＥＤ表示回路
１２６    ＬＥＤ
１２７    ＬＥＤ
【図１】
2005110138.tif 000003
【図２】
2005110138.tif 000004
【図３】
2005110138.tif 000005
【図４】
2005110138.tif 000006
【図５】
2005110138.tif 000007
【図６】
2005110138.tif 000008
【図７】
2005110138.tif 000009
【図８】
2005110138.tif 000010